(57)【要約】【課題】施工時間の短縮と労力の低減を図り、室内の吸音性を向上させ、天井の見栄えも良好な屋根構造を提供する。【解決手段】桁行方向に互いに平行に離間して軒棟方向に延在する鋼製の垂木を、開口部が桁行方向を向く溝型鋼４により構成する。この溝型鋼の上部端縁に着脱自在に係合し、溝型鋼の上辺部及び側辺部に沿ってから下方に延在する第１分割体１６と、溝型鋼の下部端縁に着脱自在に係合し、溝型鋼の下辺部に沿ってから下方に延在する第２分割体１６とからなる下地材保持部材８を溝型鋼に装着する。第１分割体の下部に、桁行方向に隣接して配置する一対の屋根下地材１０，１０の一方の端部を下側から保持する第１保持部１６ｃを設け、第２分割体の下部に、一対の屋根下地材の他方の端部を下側から保持する第２保持部１８ｃを設ける。そして、これら第１保持部及び第２保持部は、溝型鋼の下部を覆いながら互いに着脱自在に係合している。【選択図】図５
2008163663.tif 000002
【特許請求の範囲】
【請求項１】
軒棟方向に平行に離間しながら桁行方向に延在する複数の鋼製の屋根母屋と、これら屋根母屋の上部に配置され、桁行方向に互いに平行に離間しながら軒棟方向に延在する複数の鋼製の垂木と、これら垂木の上部に桁行方向に隣接して配置された屋根材と、桁行方向に隣接する前記垂木の間に配置した屋根下地材と、を備えた屋根構造において、
前記複数の鋼製の垂木を、開口部が桁行方向を向いて軒棟方向に延在している複数の溝型鋼により構成し、
前記溝型鋼の上部端縁に着脱自在に係合し、且つ前記溝型鋼の上辺部及び側辺部に沿ってから下方に延在する第１分割体と、前記溝型鋼の下部端縁に着脱自在に係合し、且つ前記溝型鋼の下辺部に沿ってから下方に延在する第２分割体とからなる下地材保持部材を、各溝型鋼に装着し、
前記第１分割体の下部に、桁行方向に隣接して配置する一対の屋根下地材の一方の端部を下側から保持する第１保持部を設け、前記第２分割体の下部に、前記一対の屋根下地材の他方の端部を下側から保持する第２保持部を設けているとともに、
これら第１保持部及び第２保持部は、前記溝型鋼の下部を覆いながら互いに着脱自在に係合していることを特徴とする屋根構造。
【請求項２】
前記第１保持部及び第２保持部は、保持した一対の屋根下地材の端部を上方から押圧する押圧部を設けていることを特徴とする請求項１記載の屋根構造。
【請求項３】
前記第１保持部及び前記第２保持部の一方に、前記溝型鋼の下部に向けて押し上げられながら係合する押し上げ係合部を設けていることを特徴とする請求項１又は２記載の屋根構造。
【請求項４】
前記第１保持部及び前記第２保持部は、金属板をロール成形することで形成、或いは合成樹脂材を押し出し成形することで形成したことを特徴とする請求項１乃至３の何れか１項に記載の屋根構造。
【請求項５】
前記屋根材と前記屋根下地材との間に、所定厚さの断熱材を敷設したことを特徴とする請求項１乃至４の何れか１項に記載の屋根構造。
【請求項６】
前記屋根下地材は、天井材として用いられる吸音性に優れた構成材であることを特徴とする請求項１乃至５の何れか１項に記載の屋根構造。
【請求項７】
前記屋根材は、山部及び谷部が桁行方向に連続する複数の折板屋根材であり、桁行方向に隣接する一対の折板屋根材は、一方の折板屋根材が、前記溝型鋼の上辺部に固定した合成樹脂製の吊り子全体を上方から覆った後、当該吊り子の下方に向けて屈曲した屈曲部に弾性変形しながら係合し、他方の折板屋根材は、前記屈曲部に入り込み、前記一方の折板屋根材の弾性変形した部分に弾性変形しながら係合していることを特徴とする請求項１乃至６の何れか１項に記載の屋根構造。
【請求項８】
前記屋根材は、前記溝型鋼の上部に敷設された複数の野地材と、これら野地材を外側から覆う屋根仕上げ材とからなる平葺きの屋根材であることを特徴とする請求項１乃至６の何れか１項に記載の屋根構造。
【発明の詳細な説明】
【技術分野】
【０００１】
本発明は、鋼製建材として溝型鋼を使用した折板屋根や平葺き屋根に好適な屋根構造に関する。
【背景技術】
【０００２】
鉄骨造の折板屋根構造として、例えば、特許文献１に示す折板屋根構造、特許文献２に示す平葺き屋根構造がある。
特許文献１の折板屋根構造は、軒棟方向に平行に離間しながら桁行方向に延在する複数の鋼製の屋根母屋上に、複数の山形形状のタイトフレーム（受け金具）を所定間隔をあけて溶接で固定し、各タイトフレームの上面に、山部及び谷部を有する金属板からなる下側折板を軒棟方向に延在するように固定し、この下側折板上に所定厚さの断熱材を敷設し、この断熱材上に、下側折板と山部及び谷部が同一となるように金属板製の上側折板を配置し、タイトフレームに連結した連結金具を介して上側折板を固定してなる屋根構造である。
【０００３】
また、特許文献２の平葺き屋根構造は、勾配を付けて配置した鋼製の垂木の上に、溝型鋼（Ｃ型鋼：リップ溝型鋼）からなる複数の屋根母屋を軒棟方向に平行に固定し、これら屋根母屋の上部に屋根下地材をビス打ちにより敷設し、この屋根下地材の上面との間に空気層を設けた後に野地材を敷設し、野地材上に屋根仕上げ材を敷設した屋根構造である。
【特許文献１】特開２００４−１１１５１号公報（図１，図４）
【特許文献２】特開平０６−２３５２４６号公報（図１、図５）
【発明の開示】
【発明が解決しようとする課題】
【０００４】
しかし、上述した特許文献１の折板屋根構造は、屋根母屋上に多数のタイトフレームを溶接により固定しなければならない。また、タイトフレーム上に下側折板を固定し、その上に断熱材を敷設した後に上側折板を固定するといった作業も必要であり、多くの施工時間と労力が必要な屋根構造である。また、金属板からなる下側折板が天井面として露出しているので室内の吸音性が低下するとともに、見栄えの悪い天井となってしまう。
【０００５】
一方、上述した特許文献２の平葺き屋根構造も、屋根母屋の上部に、屋根下地材をビスを打ち込むことで固定しているので、屋根下地材の取付け作業に多くの時間と労力が必要である。また、屋根母屋の上部に屋根下地材が取付けられていることから、室内から天井を見上げると屋根母屋（溝型鋼）全体が露出してしまい、見栄えの悪い天井となってしまう。
【０００６】
本発明は、上記事情に鑑みてなされたものであり、施工時間の短縮と労力の低減を図った屋根構造とするとともに、室内の吸音性を向上させ、天井の見栄えも良好な屋根構造を提供することを目的とする。
【課題を解決するための手段】
【０００７】
上記課題を解決するため、本発明に係る請求項１の屋根構造は、軒棟方向に平行に離間しながら桁行方向に延在する複数の鋼製の屋根母屋と、これら屋根母屋の上部に配置され、桁行方向に互いに平行に離間しながら軒棟方向に延在する複数の鋼製の垂木と、これら垂木の上部に桁行方向に隣接して配置された屋根材と、桁行方向に隣接する前記垂木の間に配置した屋根下地材と、を備えた屋根構造において、前記複数の鋼製の垂木を、開口部が桁行方向を向いて軒棟方向に延在している複数の溝型鋼により構成し、前記溝型鋼の上部端縁に着脱自在に係合し、且つ前記溝型鋼の上辺部及び側辺部に沿ってから下方に延在する第１分割体と、前記溝型鋼の下部端縁に着脱自在に係合し、且つ前記溝型鋼の下辺部に沿ってから下方に延在する第２分割体とからなる下地材保持部材を各溝型鋼に装着し、前記第１分割体の下部に、桁行方向に隣接して配置する一対の屋根下地材の一方の端部を下側から保持する第１保持部を設け、前記第２分割体の下部に、前記一対の屋根下地材の他方の端部を下側から保持する第２保持部を設けているとともに、これら第１保持部及び第２保持部は、前記溝型鋼の下部を覆いながら互いに着脱自在に係合している。
【０００８】
また、請求項２記載の発明は、請求項１記載の屋根構造において、前記第１保持部及び第２保持部は、保持した一対の屋根下地材の端部を上方から押圧する押圧部を設けている。
また、請求項３記載の発明は、請求項１又は２記載の屋根構造において、前記第１保持部及び前記第２保持部の一方に、前記溝型鋼の下部に向けて押し上げられながら係合する押し上げ係合部を設けている。
【０００９】
また、請求項４記載の発明は、請求項１乃至３の何れか１項に記載の屋根構造において、前記第１保持部及び前記第２保持部は、金属板をロール成形することで形成、或いは合成樹脂材を押し出し成形することで形成した。
また、請求項５記載の発明は、請求項１乃至４の何れか１項に記載の屋根構造において、前記屋根材と前記屋根下地材との間に所定厚さの断熱材を敷設した。
【００１０】
また、請求項６記載の発明は、請求項１乃至５の何れか１項に記載の屋根構造において、前記屋根下地材が天井材として用いられる吸音性に優れた構成材である。
また、請求項７記載の発明は、請求項１乃至６の何れか１項に記載の屋根構造において、前記屋根材は、山部及び谷部が桁行方向に連続する複数の折板屋根材であり、桁行方向に隣接する一対の折板屋根材は、一方の折板屋根材が、前記溝型鋼の上辺部に固定した合成樹脂製の吊り子全体を上方から覆った後、当該吊り子の下方に向けて屈曲した屈曲部に弾性変形しながら係合し、他方の折板屋根材は、前記屈曲部に入り込み、前記一方の折板屋根材の弾性変形した部分に弾性変形しながら係合している。
【００１１】
さらに、請求項８記載の発明は、請求項１乃至６の何れか１項に記載の屋根構造において、前記屋根材は、前記溝型鋼の上部に敷設された複数の野地材と、これら野地材を外側から覆う屋根仕上げ材とからなる平葺きの屋根材である。
【発明の効果】
【００１２】
本発明に係る屋根構造によると、垂木として構成した溝型鋼に、第１分割体及び第２分割体からなる下地材保持部材を着脱自在に装着するだけで、屋根下地材を簡単に保持することができ、しかも屋根下地材により溝型鋼の下部を覆うことができるので、施工時間の短縮と労力の低減を図った屋根構造しつつ、室内の吸音性を向上させ、天井の見栄えも良好な屋根構造を得ることができる。
【発明を実施するための最良の形態】
【００１３】
以下、この発明に係る屋根構造について図面を参照しながら説明する。
（第１実施形態：折板屋根構造）
先ず、本発明に係る折板屋根構造について図１から図６を参照して説明する。
図１は折板屋根構造を軒棟方向から示した図であり、図２は折板屋根構造を構成する屋根母屋及び垂木の連結部分を桁行方向から示した図であり、図３は下地保持部材を構成する第１分割体を示す図であり、図４は下地材保持部材を構成する第２分割体を示す図であり、図５は垂木の周囲の折板屋根構造を示す図であり、図６は、折板屋根材を支持する吊り子の形状を示す図である。
【００１４】
図１に示すように、本実施形態の折板屋根構造は、軒棟方向に複数平行に離間して桁行方向に延在するＨ型鋼からなる屋根母屋２と、屋根母屋２の上部に配置され、桁行方向に互いに平行に離間しながら軒棟方向に延在する複数のＣ型鋼（リップ溝型鋼）からなる垂木４と、これら垂木４の上部に配置された折板屋根材６と、各垂木４の外周に着脱自在に装着した下地材保持部材８と、下地材保持部材８に保持されながら桁行方向に隣接する垂木４，４の間に配置された屋根下地材１０と、屋根下地材１０と折板屋根材６との間に配置した断熱材１２とを備えている。
【００１５】
垂木４は、図２に示すように、屋根母屋２上に固定したアングル材からなる連結部材１４を介して固定されており、屋根母屋２の上面との間に所定の隙間を設け、図１に示すように、開口部４ａが桁行方向の一方を向くように配置されている。
下地材保持部材８は、図５に示すように、金属板をロール成形するととで形成した第１分割体１６及び第２分割体１８とで構成されている。
【００１６】
第１分割体１６は、図３に示すように、垂木（Ｃ型鋼）４の上部端縁４ｂに係合する折り返し部１６ａと、垂木４の上辺部４ｃ及び側辺部４ｄに沿ってＬ字状に延在するＬ型折曲部１６ｂと、折曲部１６ｂから下方に延在して折曲され、屋根下地材１０の端部を下側から保持する第１保持部１６ｃと、第２分割体１６と上下方向に弾性変形しながら係合する第１係合部１６ｄと、第２分割体１６と左右方向（上下方向に直交する桁行方向）に弾性変形しながら係合する第２係合部１６ｅと、第１係合部１６ｄの近くに形成され、第１保持部１６ｃに保持された屋根下地材１０の端部を上方から押圧する押圧部１６ｆとを備えている。
【００１７】
第２分割体１８は、図４に示すように、垂木（Ｃ型鋼）４の下部端縁４ｅに係合する折り返し部１８ａと、垂木４の下辺部４ｆに沿って延在する折曲部１８ｂと、折曲部１８ｂから下方に延在して折曲され、屋根下地材１０の端部を下側から保持する第２保持部１８ｃと、前述した第１分割体１６の第１係合部１６ｄと上下方向に弾性変形しながら係合する第１係合部１８ｄと、前述した第１分割体１６の第２係合部１６ｅと左右方向に弾性変形しながら係合する第２係合部１８ｅと、折曲部１８ｂの途中に設けられ、第２保持部１８ｃに保持された屋根下地材１０の端部を上方から押圧する押圧部１８ｆと、第１係合部１８ｄと第２係合部１８ｅとの間で折曲部１８ｂに向けて折れ曲がって形成した押し上げ部１８ｇとを備えている。
【００１８】
そして、図５に示すように、第１分割体１６の第１係合部１６ｄ及び第２分割体１８の第１係合部１８ｄを上下方向に弾性変形させて係合し、第１分割体１６の第２係合部１６ｅ及び第２分割体１８の第２係合部１８ｅを左右方向に弾性変形させて係合させることで第１分割体１６及び第２分割体１８が一体化され、第１保持部１６ｃ及び第２保持部１８ｃは、互いに軒棟方向の逆方向を向きながら同一レベルで対向する。
【００１９】
屋根下地材１０は、図１に示すように、吸音性に優れた建材１０ａと、この建材１０ａの上部に積層した断熱性に優れた建材１０ｂとで構成されている。
そして、図５に示すように、下地材保持部材８の第１保持部１６ｃが桁行方向に隣接している一方の屋根下地材１０の端部を下側から保持すると、下地材保持部材８の押圧部１６ｆが屋根下地材１０の端部を上側から押圧する。また、下地材保持部材８の第２保持部１８ｃが桁行方向に隣接している他方の屋根下地材１０の端部を下側から保持すると、下地材保持部材８の押圧部１８ｆが屋根下地材１０の端部を上側から押圧する。
【００２０】
また、下地材保持部材８の押圧部１６ｆが屋根下地材１０の端部を上側から押圧する際の反力により、押圧部１６ｆに隣接した押し上げ部１８ｇが上方に移動して折曲部１８ｂに当接した状態となり、それにより、下地材保持部材８の第１保持部１６ｃ及び第２保持部１８ｃが上方に移動するので、屋根下地材１０の端部は、垂木４側に押し上げられた状態で保持される。
【００２１】
折板屋根材６は、図１に示すように、金属板を折曲することで桁裄方向に山部６ａと谷部６ｂとを交互に形成した建材である。この折板屋根材６は、図５及び図６に示すように、垂木４の上辺部４ｃにボルト２０を介して固定された吊り子２２に係合することで垂木４に支持されている。
すなわち、吊り子２２は合成樹脂製の部材であり、図６に示すように、垂木４の上辺部４ｃに当接する矩形板状の固定部２２ａと、この固定部２２ａの一方の長辺部から立ち上がった後に下方に向けて屈曲している屈曲部２２ｂと、垂木４の上辺部４ｃからさらに桁行方向に突出するように固定部２２ａの他方の長辺部から丸みを付けて形成されているガイド部２２ｃとを備えている。
【００２２】
そして、折板屋根材６の桁行方向の一方の端部には、吊り子２２の屈曲部２２ｂの内側に嵌まり込む第１屋根係合部６ｃが形成されているとともに、折板屋根材６の桁行方向の他方の一端部には、山形形状に折曲されて吊り子２２全体を上部から覆った後、吊り子２２の屈曲部２２ｂの内側に向けて延在し、第１屋根係合部６ｃに弾性変形しながら係合する第２屋根係合部６ｄとが形成されている。また、折板屋根材６の桁行方向の他方の一端側には、垂木４側に折曲されて吊り子２２のガイド部２２ｃに係合する位置合わせ部６ｅが形成されている。
【００２３】
このように、折板屋根材６は、垂木４の上辺部４ｃに固定した吊り子２２のガイド部２２ｃに位置合わせ部６ｅを係合した状態で、吊り子２２の屈曲部２２ｂに第１屋根係合部６ｃをはめ込み、第２屋根係合部６ｄを、屈曲部２２ｂ内の第１屋根係合部６ｃに弾性変形状態で係合することで、垂木４の上部に配置される。
そして、図１に示すように、屋根下地材１０と折板屋根材６との間には、所定厚さの断熱材１２が敷設されている。ここで、断熱材１２は、垂木４の開口部４ａから内部空間にも充填されている。
【００２４】
次に、本実施形態の折板屋根構造の作用効果について説明する。
本実施形態は、Ｃ型鋼からなる垂木４に第１分割体１６及び第２分割体１８を係合し、第１分割体１６及び第２分割体１８同士を係合するだけで下地材保持部材８を簡単に装着することができ、桁行方向に隣接配置する屋根下地材１０の端部を、垂木４に装着した下地材保持部材８の第１保持部１６ｃ及び第２保持部１８ｃによって保持し、吊り子２２を介して折板屋根材６を垂木４の上辺部４ｃに固定し、屋根下地材１０と折板屋根材６との間に断熱材１２を敷設して折板屋根構造を得ることができるので、屋根建材にタイトフレームを固定したり、下側折板の配置を必要する従来の折板屋根構造と比較して、施工時間の短縮と労力の低減を図ることができる。
【００２５】
また、屋根下地材１０の端部を保持する下地材保持部材８は、屋根下地材１０の端部を下側から保持する第１及び第２保持部１６ｃ，１８ｃと、屋根下地材１０の端部を上側から押圧する押圧部１６ｆ，１８ｆとを備えているので、屋根下地材１０の端部を強固に保持することができる。
また、下地材保持部材８は、屋根下地材１０の端部を上側から押圧する押圧部１６ｆの反力により押し上げ部１８ｇが上方に移動することで、屋根下地材１０の端部が垂木４側に押し上げられるので、屋根下地材１０の揺れを確実に防止して保持することができる。
【００２６】
また、下地材保持部材８の第１及び第２保持部１６ｃ，１８ｃが隣接して配置した屋根下地材１０の端部を保持することで垂木４の下部が屋根下地材１０により覆われるので、化粧性に優れた天井を得ることができる。
さらに、屋根下地材１０が室内の吸音性を向上させるとともに、屋根下地材１０と折板屋根材６との間に断熱材１２を敷設したことで、断熱性にも優れた折板屋根構造を提供することができる。
【００２７】
（第２実施形態：吊り子の変形例）
次に、第１実施形態で示した吊り子２２と異なる形状の吊り子について、図７及び図８を参照して説明する。
本実施形態の吊り子２４は、垂木４の上辺部４ｃに金属製のボルト２６を介して固定されている合成樹脂性の吊り子基部２８と、この吊り子基部２８に金属製のボルト３０を介して固定されている合成樹脂性の吊り子本体３２とで構成されている。
吊り子基部２８は、図８に示すように、垂木４の上辺部４ｃに当接する基板３４と、基板３４の上面から突出している２個の円筒部３６と、これら円筒部３６の内周面に形成した雌ねじ３８に外周の雄ねじ４０を螺合することで円筒部３６内に埋設される２個のキャップ４２と、キャップ４２に形成したねじ穴４４とを備えている。
【００２８】
また、吊り子本体３２は、キャップ４２のねじ穴４４にボルト３０を螺合することでキャップ４２の上面に固定される固定部３２ａと、この固定部３２ａの一方の長辺部から斜め下方に下がっている第１傾斜部３２ｂと、垂木４の上辺部４ｃからさらに桁行方向に突出するように固定部３２ａの他方の長辺部から斜め下方に下がっている第２傾斜部３２ｃとを備えている。
【００２９】
そして、折板屋根材６は、吊り子本体３２の第２傾斜部３２ｃに位置合わせ部６ｅを係合した状態で、吊り子本体３２の第１傾斜部３２ｂに第１屋根係合部６ｃをはめ込み、第２屋根係合部６ｄを、第１傾斜部３２ｂ内の第１屋根係合部６ｃに弾性変形状態で係合することで、垂木４の上部に配置される。
本実施形態によると、合成樹脂製の吊り子本体３２及び吊り子基部２８を連結する金属製のボルト３０は円筒部３６内の空間に突出しており、このボルト３０は、垂木４の上辺部４ｃ及び吊り子基部２８を連結する金属製のボルト２６に対して非接触状態となっているので、例えば、外気の温度が高温、或いは低温であっても、吊り子２４と折板屋根材６との間の空間の高温、或いは低温の温度がボルト２６，３０を介して垂木４側に伝わりにくい。
このため、本実施形態は、さらに、断熱性に優れた折板屋根構造を提供することができる。
【００３０】
（第３実施形態：平葺き屋根構造）
さらに、本発明に係る平葺き屋根構造について図９を参照して説明する。なお、図１で示した構成と同一構成部分には、同一符号を付してその説明を省略する。
【００３１】
本実施形態の平葺き屋根構造は、軒棟方向に複数平行に離間して桁行方向に延在するＨ型鋼からなる屋根母屋２と、屋根母屋２の上部に配置され、桁行方向に互いに平行に離間しながら軒棟方向に延在する複数のＣ型鋼（リップ溝型鋼）からなる垂木４と、各垂木４の外周に着脱自在に装着した下地材保持部材８と、下地材保持部材８に保持されながら桁行方向に隣接する垂木４，４の間に配置された屋根下地材１０と、垂木４の上部に敷設された野地材５０と、野地材５０を外側から覆う屋根仕上げ材５２と、屋根下地材１０と野地材５０との間に配置した断熱材１２とを備えている。野地材５０は、例えば遮音性に優れた建材が使用されている。
【００３２】
本実施形態の平葺き屋根構造も、Ｃ型鋼からなる垂木４に第１分割体１６及び第２分割体１８を係合し、第１分割体１６及び第２分割体１８同士を係合するだけで下地材保持部材８を簡単に装着することができ、桁行方向に隣接配置する屋根下地材１０の端部を、垂木４に装着した下地材保持部材８の第１保持部１６ｃ及び第２保持部１８ｃによって保持し、垂木４の上辺部４ｃに野地材５０を敷設し、野地材５０の外側を屋根仕上げ材５２で覆い、屋根下地材１０と野地材５０との間に断熱材１２を敷設して平葺き屋根構造を得ることができるので、屋根下地材をビス打ちで固定した従来の平葺き屋根構造と比較して、施工時間の短縮と労力の低減を図ることができる。
【００３３】
また、屋根下地材１０の端部を保持する下地材保持部材８は、図１で示した折板屋根構造と同様に、屋根下地材１０を、揺れ等を確実に防止して強固に保持することができる。
また、下地材保持部材８の第１及び第２保持部１６ｃ，１８ｃが隣接して配置した屋根下地材１０の端部を保持することで垂木４の下部が屋根下地材１０により覆われるので、化粧性に優れた天井を得ることができる。
【００３４】
さらに、屋根下地材１０が室内の吸音性を向上させるとともに、屋根下地材１０と折板屋根材６との間に断熱材１２を敷設したことで、断熱性にも優れた折板屋根構造を提供することができる。
なお、上記実施形態では、下地材保持部材８を構成する第１分割体１６及び第２分割体１８を金属板をロール成形することで形成したが、合成樹脂材を押し出し成形することで第１分割体１６及び第２分割体１８を形成しても、同様の効果を奏することができる。
【図面の簡単な説明】
【００３５】
【図１】本発明に係る折板屋根構造を軒棟方向から示した図である。
【図２】折板屋根構造を構成する屋根母屋及び垂木の連結部分を桁行方向から示した図である。
【図３】下地保持部材を構成する第１分割体を示す図である。
【図４】下地材保持部材を構成する第２分割体を示す図である。
【図５】垂木の周囲の折板屋根構造を示す図である。
【図６】折板屋根材を支持する吊り子の形状を示す図である。
【図７】他の形状の吊り子を示す図である。
【図８】図７で示した吊り子の構成部品を示す図である。
【図９】本発明に係る平葺き屋根構造を軒棟方向から示した図である。
【符号の説明】
【００３６】
２…屋根母屋、４…垂木（溝型鋼）、４ａ…      開口部、４ｂ…上部端縁、４ｃ…上辺部、４ｄ…側辺部、４ｅ…下部端縁、４ｆ…下辺部、６…折板屋根材、６ａ…山部、６ｂ…谷部、６ｃ…第１屋根係合部、６ｄ…第２屋根係合部、６ｅ…位置合わせ部、８…下地材保持部材、１０…屋根下地材、１０ａ…吸音製に優れた建材、１０ｂ…断接製に優れた建材、１２…断熱材、１４…連結部材、１６…第１分割体、１６ａ…折り返し部、１６ｂ…Ｌ型折曲部、１６ｃ…第１保持部、１６ｄ…第１係合部、１６ｅ…第２係合部、１６ｆ…押圧部、１８…第２分割体、１８ａ…折り返し部、１８ｂ…折曲部、１８ｃ…第２保持部、１８ｄ…第１係合部、１８ｅ…第２係合部、１８ｆ…押圧部、１８ｇ…押し上げ部（押し上げ係合部）、２０…ボルト、２２…吊り子、２２ａ…固定部、２２ｂ…屈曲部、２２ｃ…ガイド部、２４…吊り子、２６…ボルト、２８…吊り子基部、３０…ボルト、３２…吊り子本体、３２ａ…固定部、３２ｂ…第１傾斜部、３２ｃ…第２傾斜部、３４…基板、３６…円筒部、３８…雌ねじ、４０…雄ねじ、４２…キャップ、４４…ねじ穴、５０…野地材、５２…屋根仕上げ材
【図１】
2008163663.tif 000003
【図２】
2008163663.tif 000004
【図３】
2008163663.tif 000005
【図４】
2008163663.tif 000006
【図５】
2008163663.tif 000007
【図６】
2008163663.tif 000008
【図７】
2008163663.tif 000009
【図８】
2008163663.tif 000010
【図９】
2008163663.tif 000011